(57)【要約】【課題】手摺が取り付けられた壁部を好適に補強することができる壁構造を提供する。【解決手段】間仕切壁部１５は、一対の壁面材２１，２２と、これら壁面材２１，２２の間に設けられたスタッド３３，３４とを有している。間仕切壁部１５はトイレ１１と廊下１２とを仕切っており、間仕切壁部１５には、トイレ１１に設置された手摺４１が取り付けられている。間仕切壁部１５においては、手摺４１を支持する手摺下地５１が一対の壁面材２１，２２の間に設けられており、手摺下地５１は、支持スタッド３３と補助スタッド３４との間に設けられた中間下地部５２と、トイレ側壁面材２１の裏面側に重ねられた板状のトイレ側下地部５３とを有している。手摺４１は、固定具６１がトイレ側壁面材２１を貫通してトイレ側下地部５３及び中間下地部５２に打ち込まれていることで、間仕切壁部１５に固定されている。【選択図】      図１
2015094092.tif 000002
【特許請求の範囲】
【請求項１】
横並びに配置された複数のスタッドを有する壁下地と、該壁下地に取り付けられた内装材と、を含んで構成された壁部を備え、前記内装材を挟んで前記壁下地とは反対側に設けられた手摺が前記壁部に取り付けられた建物の壁構造であって、
前記内装材の前記壁下地側に設けられ、前記手摺を支持している手摺下地を備え、
前記手摺下地は、
前記壁部の壁幅方向において隣り合う前記スタッドの間に設けられ、それらスタッドの少なくとも一方に固定された中間下地部と、
前記壁部の壁厚み方向において前記壁下地と前記内装材との間に設けられ、前記隣り合うスタッドに掛け渡された状態でそれらスタッドのそれぞれに固定された内装側下地部と、
を有しており、
前記手摺を前記手摺下地に固定する固定具が、前記内装側下地部を貫通して前記中間下地部に到達していることで、それら内装側下地部及び中間下地部の両方に打ち込まれた状態になっていることを特徴とする建物の壁構造。
【請求項２】
前記中間下地部は、前記スタッドに沿って前記壁部の壁高さ方向に延びた縦長形状とされており、該スタッドに対して側面同士が重ねられた状態で固定されていることを特徴とする請求項１に記載の建物の壁構造。
【請求項３】
前記壁下地は、前記壁幅方向に沿って延び、前記スタッドを挟んで上下に配置された上下一対のランナを有しており、
前記中間下地部は、前記一対のランナの少なくとも一方に固定されていることを特徴とする請求項２に記載の建物の壁構造。
【請求項４】
前記複数のスタッドには、前記内装材を支持するために所定間隔で配置された支持スタッドと、隣り合う前記支持スタッドの間に配置された補助スタッドとが含まれており、
前記中間下地部は、前記支持スタッドと前記補助スタッドとの間に配置され、該補助スタッドに固定されていることを特徴とする請求項２又は３に記載の建物の壁構造。
【請求項５】
前記中間下地部は、前記スタッドに沿って延び、前記壁幅方向に沿って横並びに重ねて配置された複数の縦材を有していることを特徴とする請求項２乃至４のいずれか１項に記載の建物の壁構造。
【請求項６】
前記壁下地は、前記スタッドを挟んで上下に配置された一対のランナとして、前記スタッドの上側に配置された上側ランナと、前記スタッドの下側に配置された下側ランナとを有しており、
前記内装側下地部は、前記上側ランナと前記下側ランナとに掛け渡された状態でそれらランナのそれぞれに固定されていることを特徴とする請求項２乃至５のいずれか１項に記載の建物の壁構造。
【請求項７】
前記中間下地部は、前記壁幅方向に沿って延びた横長形状とされており、前記隣り合うスタッドに掛け渡された状態で設けられていることを特徴とする請求項１乃至６のいずれか１項に記載の建物の壁構造。
【請求項８】
前記内装材は、前記内装側下地部に重ねられた状態で設けられた壁面材と、該壁面材の表側に設けられ前記壁部の仕上面を形成する壁仕上部とを有しており、
前記手摺は、前記壁面材を挟んで前記内装側下地部の反対側に配置されており、
前記固定具は、前記壁面材を貫通して前記内装側下地部及び前記中間下地部の両方に打ち込まれていることを特徴とする請求項１乃至７のいずれか１項に記載の建物の壁構造。
【発明の詳細な説明】
【技術分野】
【０００１】
本発明は、壁部に手摺が取り付けられた建物の壁構造に関する。
【背景技術】
【０００２】
住宅等の建物においては、廊下やトイレなどにおいて、手摺が間仕切壁等の壁部に取り付けられていることがある。例えば、間仕切壁が間柱とその間柱に取り付けられた壁面材とを有し、手摺を間仕切壁に固定するビス等が壁面材を貫通して間柱に打ち込まれている、という構成がある（例えば特許文献１参照）。また、この構成では、腰壁面を形成する合板等の板状部材（例えば手摺取り付け部材）が壁面材の仕上面に重ねられた状態で設けられている。板状部材は、手摺と壁面材との間に入り込んでおり、その入り込んだ部分に手摺が固定されていることで、間柱と共にその手摺を支持する役割を果たしている。このため、ユーザが手摺を掴むなどしてその手摺に外力が加えられたとしても、壁部が壁厚み方向に撓むことや破損することなどが生じにくくなっている。
【先行技術文献】
【特許文献】
【０００３】
【特許文献１】特開平１０−８２１５４号公報
【発明の概要】
【発明が解決しようとする課題】
【０００４】
しかしながら、手摺が壁部の間柱に固定された構成では、手摺を壁厚み方向において間柱に重なる位置に配置せざるを得ず、手摺の設置位置が壁幅方向について制限されてしまう。また、板状部材が壁面材の仕上面側に設けられた構成では、壁面材の仕上面が板状部材により覆われている部分についての外観が、板状部材により覆われていない部分の意匠性に比べて低下することが懸念される。
【０００５】
本発明は、上記例示した事情等に鑑みてなされたものであり、手摺が取り付けられた壁部を好適に補強することができる壁構造を提供することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００７】
第１の発明の建物の壁構造は、横並びに配置された複数のスタッド（支持スタッド３３、補助スタッド３４）を有する壁下地（壁下地２３）と、該壁下地に取り付けられた内装材（トイレ側壁面材２１、壁仕上部２４）と、を含んで構成された壁部（間仕切壁部１５）を備え、前記内装材を挟んで前記壁下地とは反対側に設けられた手摺（手摺４１）が前記壁部に取り付けられた建物の壁構造であって、前記内装材の前記壁下地側に設けられ、前記手摺を支持している手摺下地（手摺下地５１）を備え、前記手摺下地は、前記壁部の壁幅方向において隣り合う前記スタッドの間に設けられ、それらスタッドの少なくとも一方に固定された中間下地部（中間下地部５２、上側下地部８１、棚下地部８２）と、前記壁部の壁厚み方向において前記壁下地と前記内装材との間に設けられ、前記隣り合うスタッドに掛け渡された状態でそれらスタッドのそれぞれに固定された内装側下地部（トイレ側下地部５３）と、を有しており、前記手摺を前記手摺下地に固定する固定具（固定具６１）が、前記内装側下地部を貫通して前記中間下地部に到達していることで、それら内装側下地部及び中間下地部の両方に打ち込まれた状態になっていることを特徴とする。
【０００８】
第１の発明によれば、手摺の設置部分について壁部を補強する手摺下地が壁部の内部に設けられているため、その手摺下地により壁部の意匠性が損なわれるということを回避できる。また、手摺下地の中間下地部がスタッドに横並びに配置されているため、手摺を壁厚み方向においてスタッドに重なる位置に配置する必要がなく、手摺の設置位置に関する自由度が壁幅方向について低下することを抑制できる。しかも、手摺下地の内装側下地部は隣り合うスタッドのそれぞれに固定されているため、ユーザが手摺につかまるなどしてその手摺に外力が加えられた場合に、その外力が内装側下地部を介して少なくとも２つのスタッドに分散する。このため、壁部の一部が壁厚み方向に撓むということを抑制できる。
【０００９】
以上により、手摺が取り付けられた壁部を好適に補強することができる。
【００１０】
第２の発明では、第１の発明において、前記中間下地部は、前記スタッドに沿って前記壁部の壁高さ方向に延びた縦長形状とされており、該スタッドに対して側面同士が重ねられた状態で固定されている。
【００１１】
第２の発明によれば、中間下地部の長手方向が壁高さ方向に沿って延びているため、例えば、中間下地部の長手方向が壁幅方向に沿って延びている構成に比べて、スタッドに対する中間下地部の固定部分を上下方向に長くすることができる。この場合、手摺に加えられた外力が中間下地部を介してスタッドの長手方向に分散するため、スタッドが壁厚み方向や壁幅方向に撓むということを抑制できる。
【００１２】
第３の発明では、第２の発明において、前記壁下地は、前記壁幅方向に沿って延び、前記スタッドを挟んで上下に配置された上下一対のランナ（上側ランナ３１、下側ランナ３２）を有しており、前記中間下地部は、前記一対のランナの少なくとも一方に固定されている。
【００１３】
第３の発明によれば、中間下地部がランナに固定されているため、ランナに対する中間下地部の相対的な変位を規制することができる。また、この場合、手摺に加えられた外力が中間下地部を介してスタッド及びランナに分散するため、中間下地部が壁厚み方向や壁幅方向に移動することに対する抑止力を、スタッドに加えてランナにも発揮させることができる。
【００１４】
なお、中間下地部が縦長形状とされているため、中間下地部の上端部及び下端部の少なくとも一方がランナに固定され、且つ壁厚み方向において手摺に重なる位置に中間下地部の一部が配置されているという構成を、手摺の高さ位置に合わせて中間下地部の長さ寸法を変更するという容易な作業により実現できる。
【００１５】
第４の発明では、第２又は第３の発明において、前記複数のスタッドには、前記内装材を支持するために所定間隔で配置された支持スタッド（支持スタッド３３）と、隣り合う前記支持スタッドの間に配置された補助スタッド（補助スタッド３４）とが含まれており、前記中間下地部は、前記支持スタッドと前記補助スタッドとの間に配置され、該補助スタッドに固定されている。
【００１６】
第４の発明によれば、中間下地部の位置に合わせて補助スタッドが設置されているため、中間下地部を支持スタッドから壁幅方向に離間した位置に配置することが可能になる。しかも、壁部において壁面材の支持強度は支持スタッドにより確保されているため、補助スタッドの設置位置を手摺の位置に合わせて適宜変更したとしても、壁部における壁面材の支持強度が低下するということがない。したがって、壁部における壁面材の適正な支持状態を損なわない状態で、手摺の設置位置に関する自由度を高めることができる。
【００１７】
第５の発明では、第２乃至第４のいずれかの発明において、前記中間下地部は、前記スタッドに沿って延び、前記壁幅方向に沿って横並びに重ねて配置された複数の縦材（縦材５５）を有している。
【００１８】
第５の発明によれば、横並びに配置する縦材の数を増減させることで、中間下地部の幅寸法を手摺の仕様に合わせて調整することができる。このため、中間下地部として手摺の仕様に合わせた専用品を準備する必要がなく、縦材として汎用品の角材を使用することで中間下地部を好適に作製することができる。
【００１９】
第６の発明では、第２乃至第５のいずれかの発明において、前記壁下地は、前記スタッドを挟んで上下に配置された一対のランナとして、前記スタッドの上側に配置された上側ランナ（上側ランナ３１）と、前記スタッドの下側に配置された下側ランナ（下側ランナ３２）とを有しており、前記内装側下地部は、前記上側ランナと前記下側ランナとに掛け渡された状態でそれらランナのそれぞれに固定されている。
【００２０】
第６の発明によれば、内装側下地部が上下一対のランナのそれぞれに固定されているため、手摺に加えられた外力が内装側下地部を介して各ランナのそれぞれに分散する。このため、スタッドが内装側下地部ごと壁厚み方向に撓むことに対する抑止力を、一対のランナのそれぞれに発揮させることができる。
【００２１】
第７の発明では、第１乃至第６のいずれかの発明において、前記中間下地部は、前記壁幅方向に沿って延びた横長形状とされており、前記隣り合うスタッドに掛け渡された状態で設けられている。
【００２２】
第７の発明によれば、内装側下地部に加えて中間下地部が隣り合うスタッドのそれぞれに固定されているため、手摺に加えられた外力が内装側下地部及び中間下地部の両方を介して各スタッドの両方に分散する。ここで、中間下地部はスタッドと同じ大きさにまで厚み寸法を大きくすることができるのに対して、壁下地と内装材との間に挟まっている内装側下地部は、壁部の厚み寸法が過剰に大きくならないようにする観点からその厚み寸法を極力小さくする必要がある。この場合、内装側下地部よりも中間下地部の方が、壁厚み方向への撓みに対する抗力を発揮しやすいため、手摺に加えられた外力が内装側下地部だけを介して各スタッドに分散する構成に比べて、内装側下地部及び中間下地部の両方を介して各スタッドに分散する方が、壁部の撓みをより確実に抑制することができる。
【００２３】
第８の発明では、第１乃至第７のいずれかの発明において、前記内装材は、前記内装側下地部に重ねられた状態で設けられた壁面材（トイレ側壁面材２１）と、該壁面材の表側に設けられ前記壁部の仕上面を形成する壁仕上部（壁仕上部２４）とを有しており、前記手摺は、前記壁面材を挟んで前記内装側下地部の反対側に配置されており、前記固定具は、前記壁面材を貫通して前記内装側下地部及び前記中間下地部の両方に打ち込まれている。
【００２４】
第８の発明によれば、手摺を支持するための強度を確保する内装側下地部と、壁仕上部を設けるために加工される加工面を有する壁面材とを使い分けることができるため、内装側下地部を強度及び加工面の両方を有する専用品とする必要がない。このため、例えば内装側下地部を合板とし、壁面材を石膏ボードとするなど、内装側下地部及び壁面材として汎用品を使用することができる。
【図面の簡単な説明】
【００２５】
【図１】第１の実施形態における間仕切壁部の構成を示す図
【図２】手摺の斜視図
【図３】図１（ａ）のＢ−Ｂ線断面図
【図４】第２の実施形態における間仕切壁部の構成を示す図
【図５】図４（ａ）のＣ−Ｃ線断面図
【図６】図４（ａ）のＤ−Ｄ線断面図
【図７】別の間仕切壁部の正面図
【発明を実施するための形態】
【００２６】
［第１の実施形態］
以下、本発明を具体化した一実施形態について図面を参照しつつ説明する。本実施形態では、本発明の壁構造を建物の間仕切壁部において具体化している。建物は、トイレや廊下、リビングなど複数の居住空間を有しており、これら居住空間は間仕切壁部により互いに仕切られている。図１は間仕切壁部１５の構成を示す図、図２は手摺４１の斜視図、図３は図１（ａ）のＢ−Ｂ線断面図である。なお、図１においては、（ａ）に間仕切壁部１５の正面図を示し、（ｂ）に（ａ）のＡ−Ａ線断面図を示す。また、（ａ）は、間仕切壁部１５の内部構造を部分的に示す破断図になっている。さらに、図１（ｂ）、図３においては壁仕上部２４の図示を省略しており、図２においては固定具６１の図示を省略している。
【００２７】
図１に示すように、建物においては、トイレ１１と廊下１２とが隣り合わせに配置されており、それらトイレ１１と廊下１２とが間仕切壁部１５により仕切られている。間仕切壁部１５は、トイレ１１の天井部１１ａと床部１１ｂとの間に掛け渡されており、間仕切壁部１５の上端が天井部１１ａに固定され、下端が床部１１ｂに固定されている。なお、天井部１１ａは、野縁等の天井下地と、天井下地に取り付けられた石膏ボード等の天井面材とを有しており、間仕切壁部１５の上端は天井下地に固定されている。床部１１ｂは、根太等の床下地と、床下地に取り付けられたフローリング材等の床面材とを有しており、間仕切壁部１５の下端は床下地に固定されている。
【００２８】
間仕切壁部１５は、互いに離間して設けられた一対の壁面材２１，２２と、これら壁面材２１，２２の間に設けられた壁下地２３と、間仕切壁部１５の仕上面を形成する壁仕上部２４とを有している。壁面材２１，２２は、石膏ボード等の基材である。壁面材２１は、トイレ１１側に設けられたトイレ側壁面材２１であり、壁面材２２は、廊下１２側に設けられた廊下側壁面材２２である。壁仕上部２４は、壁面材２１，２２の表側面（壁下地２３とは反対側の面）に貼り付けられた壁紙等のシート材であり、壁面材２１，２２において、壁仕上部２４が設けられる側の板面は、その壁仕上部２４により形成される仕上面が平坦になるように加工された加工面になっている。なお、壁仕上部２４は、壁面材２１，２２の板面に塗料が塗布されることで形成された塗装層とされていてもよい。
【００２９】
壁下地２３は、互いに離間して設けられた上下一対のランナ３１，３２と、これらランナ３１，３２に掛け渡された状態で設けられたスタッド３３，３４とを有している。ランナ３１，３２は、断面コ字状の軽量鉄骨材である溝形鋼により形成されており、互いの溝部を向かい合わせて配置されている。ランナ３１，３２は、ウェブとそのウェブを挟んで対向する一対のフランジとを有しており、それらウェブ及びフランジにより溝部が形成されている。ランナ３１は、スタッド３３の上側に配置された上側ランナ３１であり、溝部を下方に向けた状態で天井部１１ａに固定されている。ランナ３１，３２は、壁幅方向に沿って水平方向に延びている。ランナ３２は、スタッド３３の下側に配置された下側ランナ３２であり、溝部を上方に向けた状態で床部１１ｂに固定されている。
【００３０】
スタッド３３，３４は、ランナ３１，３２の溝部内に入り込んでおり、その状態でランナ３１，３２の各フランジに対して溶接等により固定されている。スタッド３３，３４は、ランナ３１，３２の溝部内に嵌合されており、それぞれの側面がランナ３１，３２の各フランジの内側面に重ねられている。壁厚み方向において、スタッド３３，３４の厚み寸法は、ランナ３１，３２の一対のフランジの離間距離と同じ又はそれよりも若干小さくされている。上側ランナ３１の溝部内にはスタッド３３，３４の上端部が入り込んでおり、下側ランナ３２の溝部内にはスタッド３３，３４の下端部が入り込んでいる。
【００３１】
スタッド３３，３４は、矩形筒状の軽量鉄骨材である角スタッド材により形成されており、壁高さ方向に沿って鉛直方向に延びている。スタッド３３は、壁面材２１，２２を支持する支持スタッド３３であり、壁幅方向に沿って所定間隔（例えば５０ｃｍ）で複数並べられている。各支持スタッド３３は、例えば隣り合う柱の並び方向に沿って等間隔で配置されており、壁面材２１，２２を支持する上で十分な強度を有している。スタッド３４は、隣り合う支持スタッド３３の間に設けられた補助スタッド３４であり、間仕切壁部１５においては、隣り合う支持スタッド３３の間に補助スタッド３４が設けられていない部分であっても、支持スタッド３３により壁面材２１，２２が適正に支持されている。
【００３２】
トイレ１１には、間仕切壁部１５に取り付けられた手摺４１が設けられている。図２に示すように、手摺４１は、間仕切壁部１５に固定された手摺固定部４２と、住人等のユーザにより掴まれる手摺掴み部４３とを有している。手摺掴み部４３は、手摺固定部４２から間仕切壁部１５とは反対側に向けて延びた使用位置ＰＡと、使用位置ＰＡから退避した退避位置ＰＢとに移行可能になっている。手摺４１は、手摺掴み部４３が使用位置ＰＡにある場合につかまることが可能な使用状態にあり、手摺掴み部４３が退避位置ＰＢにある場合に退避状態にある。
【００３３】
手摺掴み部４３は、手摺固定部４２に対して回動可能に軸支されており、回動することで使用位置ＰＡと退避位置ＰＢとに移動可能になっている。手摺掴み部４３は回動軸部４４を介して手摺固定部４２に接続されており、回動軸部４４の軸線は壁幅方向に沿って延びている。手摺掴み部４３は、使用位置ＰＡから上方に向けて回動することで退避位置ＰＢに移動し、退避位置ＰＢにある場合に、回動軸部４４から間仕切壁部１５の壁面に沿って上方に向けて延びた状態になっている。このため、ユーザが手摺掴み部４３につかまらない場合には、手摺掴み部４３を退避位置ＰＢに移動させておくことでその手摺掴み部４３がユーザの行動の邪魔にならないようになっている。
【００３４】
図１、図３に示すように、間仕切壁部１５は、手摺４１が固定された手摺下地５１を有している。手摺下地５１は、壁幅方向において補助スタッド３４に横並びに設けられた中間下地部５２と、壁厚み方向において壁下地２３のトイレ側壁面材２１側に設けられたトイレ側下地部５３とを有している。
【００３５】
中間下地部５２は、補助スタッド３４に沿って上下方向に延びた縦長形状とされており、補助スタッド３４に沿って壁高さ方向に延びた状態で支持スタッド３３と補助スタッド３４との間に配置されている。中間下地部５２は、その側面が補助スタッド３４の側面に重ねられた状態で、中間下地部５２は補助スタッド３４にビス等により固定されている。その一方で、中間下地部５２は、壁幅方向において中間下地部５２を挟んで補助スタッド３４とは反対側に配置された支持スタッド３３からは離間しており、支持スタッド３３への直接的な固定はなされていない。
【００３６】
中間下地部５２は、下側ランナ３２から上方に向けて延びており、上側ランナ３１からは下方に離間している。中間下地部５２の上下寸法は、上側ランナ３１と下側ランナ３２との離間距離よりも小さくされている。中間下地部５２は、その下端部が上方から下側ランナ３２の溝部内に入り込んだ状態で、ビス等により下側ランナ３２に固定されている。
【００３７】
中間下地部５２は、壁高さ方向に延びている縦材５５を複数（例えば３個）有している。縦材５５は、木材などにより形成された横断面矩形状の長尺部材であり、各縦材５５は、同じ大きさ及び形状とされている。各縦材５５は、壁幅方向に沿って横並びに配置されており、隣り合う縦材５５は、互いの側面同士が重ねられた状態でビス等により固定されている。
【００３８】
中間下地部５２の各縦材５５は、スタッド３３，３４と同様に、下側ランナ３２の溝部内に嵌合されており、それぞれの側面がランナ３１，３２の各フランジの内側面に重ねられている。壁厚み方向において、中間下地部５２の各縦材５５の厚み寸法は、下側ランナ３２の一対のフランジの離間距離と同じ又はそれよりも若干小さくされている。つまり、トイレ側下地部５３と廊下側壁面材２２との離間距離とほぼ同じ大きさになっている。各縦材５５は、ビス等が下側ランナ３２のフランジを貫通してそれら縦材５５に打ち込まれていることで、下側ランナ３２のフランジに固定されている。
【００３９】
なお、隣り合う縦材５５は、それら縦材５５のうち一方を貫通したビス５６が他方に打ち込まれていることで互いに固定されている。ビス５６は、縦材５５の並び方向（壁幅方向）に沿って延びており、ビス５６は、その頭部が縦材５５の側面から突出しない状態（側面に埋め込まれた状態）になっている。
【００４０】
例えば、中間下地部５２が３個の縦材５５ａ，５５ｂ，５５ｃを有している構成において、真ん中の縦材５５ｂを挟んで両側に配置された縦材５５ａ，５５ｃのうち一方の縦材５５ａが、ビス５６ａにより真ん中の縦材５５ｂに固定されている場合、そのビス５６ａの頭部が他方の縦材５５ｃ側に配置されているが、その頭部が真ん中の縦材５５ｂに埋め込まれた状態になっている。この場合、他方の縦材５５ｃと真ん中の縦材５５ｂとの間にビス５６ａの頭部が挟まった状態にならず、真ん中の縦材５５ｂの側面に他方の縦材５５ｃの側面を重ね合わせることができる。また、ビス５６ｂが、他方の縦材５５ｃを貫通して真ん中の縦材５５ｂに打ち込まれていることで、これら縦材５５ｂ，５５ｃの間に隙間が生じない状態で縦材５５ｂ，５５ｃが互いに固定されている。
【００４１】
トイレ側下地部５３は、合板等により矩形板状に形成されており、トイレ側壁面材２１に沿って延びている。トイレ側下地部５３は、壁幅方向において各支持スタッド３３及び補助スタッド３４に掛け渡された状態になっているとともに、壁高さ方向において上側ランナ３１と下側ランナ３２と掛け渡された状態になっている。トイレ側下地部５３は、トイレ側壁面材２１の裏側面（廊下１２側の面）に重ねられており、ビス等がトイレ側壁面材２１及びトイレ側下地部５３を貫通して壁下地２３に打ち込まれていることで、トイレ側壁面材２１ごと壁下地２３に固定されている。
【００４２】
なお、トイレ側下地部５３が内装側下地部に相当しており、トイレ側壁面材２１及びそのトイレ側壁面材２１に取り付けられた壁仕上部２４が内装材を構成している。
【００４３】
トイレ側下地部５３は、ビス５７により中間下地部５２に固定されている。ビス５７は、トイレ側壁面材２１がトイレ側下地部５３に重ねれる前の段階において、トイレ側下地部５３を貫通して中間下地部５２に打ち込まれており、壁厚み方向に沿って延びている。ビス５７は、その頭部がトイレ側下地部５３からトイレ１１側に突出しない状態（トイレ側下地部５３のトイレ側面に埋め込まれた状態）になっている。この場合、トイレ側下地部５３とトイレ側壁面材２１との間にビス５７の頭部が挟まった状態にならず、トイレ側壁面材２１がトイレ側下地部５３に重ね合わせた状態で壁下地２３に対して固定されている。なお、トイレ側下地部５３は中間下地部５２に固定されていなくてもよい。
【００４４】
間仕切壁部１５には、手摺４１を固定するボルト等の固定具６１が打ち込まれている。手摺４１は、トイレ側壁面材２１を挟んで中間下地部５２とは反対側に配置されており、中間下地部５２とトイレ側下地部５３とが壁厚み方向に重なっている部分に対して固定されている。手摺４１の手摺固定部４２は、中間下地部５２及びトイレ側下地部５３の両方と壁厚み方向に重なる位置に配置されており、手摺固定部４２には、固定具６１が挿通されている挿通孔が形成されている。固定具６１は、手摺固定部４２の挿通孔に挿通された状態で、壁仕上部２４及びトイレ側壁面材２１を貫通して中間下地部５２及びトイレ側下地部５３に打ち込まれている。この場合、固定具６１は、トイレ側下地部５３を貫通して中間下地部５２に到達しているが、廊下側壁面材２２には到達しておらず、先端が中間下地部５２の内部に配置されている。なお、固定具６１は、中間下地部５２を貫通していてもよいが、この場合、廊下側壁面材２２が中間下地部５２から廊下１２側に離間していることで、固定具６１が廊下側壁面材２２に到達していないことが好ましい。
【００４５】
手摺４１の手摺固定部４２は、中間下地部５２の各縦材５５を壁幅方向に跨いだ状態で配置されており、固定具６１が複数の縦材５５に打ち込まれている。例えば、中間下地部５２が縦材５５ａ〜５５ｃを有している構成では、手摺固定部４２が、真ん中の縦材５５ｂを挟んで配置された両端側の縦材５５ａ，５５ｃに壁厚み方向に重なる状態で配置されており、手摺固定部４２を固定する固定具６１が、両端側の縦材５５ａ，５５ｃに打ち込まれている。
【００４６】
なお、手摺下地５１のトイレ側下地部５３は、トイレ１１を区画する壁部のうち手摺４１の取り付け対象とされた間仕切壁部１５にだけ設置されている。トイレ１１を区画する壁部には、間仕切壁部１５に交差する方向に延びている一対の交差壁部が含まれており、間仕切壁部１５は一対の交差壁部を連結している。トイレ側下地部５３は、間仕切壁部１５において一対の交差壁部に掛け渡された状態になっており、交差壁部よりも外側には突出していない。つまり、トイレ側下地部５３は、交差壁部を挟んで間仕切壁部１５の反対側には配置されていない。
【００４７】
ここで、間仕切壁部１５において、壁下地２３とトイレ側壁面材２１との間にトイレ側下地部５３が設置された設置部分と、トイレ側下地部５３が設置されていない非設置部分とが存在する場合、それら設置部分と非接地部分との境界部においてトイレ１１側の壁面に、トイレ側下地部５３の厚み寸法の分だけ段差が生じると考えられる。これに対して、トイレ側下地部５３が交差壁部まで達している構成では、設置部分と非設置部分との境界部分が交差壁部により覆い隠されることになるため、設置部分と非設置部分との間の段差により間仕切壁部１５の外観が損なわれるということを回避できる。
【００４８】
以上詳述した本実施形態によれば、以下の優れた効果が得られる。
【００４９】
手摺４１を支持する手摺下地５１が間仕切壁部１５の内部に設けられているため、手摺下地５１により間仕切壁部１５の意匠性が損なわれるということを回避できる。また、手摺下地５１の中間下地部５２が壁幅方向に沿ってスタッド３３，３４に横並びに配置されているため、例えば手摺４１が支持スタッド３３に固定される構成とは異なり、支持スタッド３３が存在しない位置に対して手摺４１を固定できないということがなく、手摺４１の設置位置に関する自由度が壁幅方向について低下することを抑制できる。
【００５０】
しかも、手摺下地５１のトイレ側下地部５３は補助スタッド３４及び支持スタッド３３のそれぞれに固定されているため、手摺４１に外力が加えられた場合に、その外力がトイレ側下地部５３を介して補助スタッド３４及び支持スタッド３３に分散する。このため、例えば外力が１つのスタッドだけに伝わる構成に比べて、間仕切壁部１５が壁厚み方向に撓むということを抑制できる。
【００５１】
以上により、手摺４１が取り付けられた壁部を好適に補強することができる。
【００５２】
中間下地部５２が補助スタッド３４に沿って延びているため、例えば中間下地部５２が壁幅方向に沿って延びている構成に比べて、補助スタッド３４に対して中間下地部５２が固定された領域の上下寸法を大きくできる。この場合、手摺４１に加えられた外力が中間下地部５２を介して補助スタッド３４の長手方向に分散するため、例えば外力が補助スタッド３４の中央部分にだけ伝わる構成に比べて、補助スタッド３４が壁厚み方向や壁幅方向に撓むということを抑制できる。
【００５３】
中間下地部５２が下側ランナ３２に固定されているため、下側ランナ３２に対する中間下地部５２の相対的な変位を規制することができる。また、この場合、手摺４１に加えられた外力が中間下地部５２を介して補助スタッド３４及び下側ランナ３２に分散するため、例えば外力が補助スタッド３４だけに伝わる構成に比べて、中間下地部５２が壁幅方向や壁厚み方向に移動することに対する抑止力を、補助スタッド３４に加えて下側ランナ３２にも発揮させることができる。
【００５４】
また、中間下地部５２が縦長形状とされているため、手摺４１の高さ位置に合わせて中間下地部５２の長さ寸法を調整するという容易な作業により、下側ランナ３２への中間下地部５２の固定、及び中間下地部５２に対する手摺固定部４２の固定の両方を実現できる。
【００５５】
隣り合う支持スタッド３３の間に補助スタッド３４が配置されているため、補助スタッド３４の位置を中間下地部５２の位置に合わせて設定しても、壁下地２３による壁面材２１，２２の支持強度が低下しない構成を実現できる。したがって、間仕切壁部１５における壁面材２１，２２の適正な支持状態を損なわない状態で、手摺４１の設置位置に関する自由度を高めることができる。
【００５６】
中間下地部５２が複数の縦材５５を有しているため、縦材５５の数を選択するという容易な作業により中間下地部５２の幅寸法を設定することができる。このため、中間下地部５２として手摺固定部４２の幅寸法（固定具６１の設置間隔）に合わせた専用品を準備する必要がなく、縦材５５として汎用品の角材を使用することで手摺固定部４２の幅寸法に合わせて中間下地部５２を好適に作製することができる。
【００５７】
壁下地２３のトイレ側下地部５３が上側ランナ３１及び下側ランナ３２の両方に固定されているため、手摺４１に加えられた外力がトイレ側下地部５３を介してランナ３１，３２のそれぞれに分散する。このため、例えば外力がランナ３１，３２のうち一方だけに伝わる構成に比べて、補助スタッド３４がトイレ側下地部５３ごと壁厚み方向に撓むことに対する抑止力を、ランナ３１，３２のそれぞれに発揮させることができる。
【００５８】
間仕切壁部１５においては、手摺４１を支持するための強度を確保するトイレ側下地部５３と、壁仕上部２４を設けるために加工される加工面を有するトイレ側壁面材２１とを使い分けることができるため、トイレ側下地部５３を強度及び加工面の両方を有する専用品とする必要がない。このため、トイレ側下地部５３及びトイレ側壁面材２１としてそれぞれ汎用品を使用することができる。
【００５９】
なお、石膏ボード等のトイレ側壁面材２１の板面が加工面とされているため、例えば合板等のトイレ側下地部５３の一方の板面が加工面として使用される構成に比べて、加工面を形成するための作業負担を低減できる。
【００６０】
［第２の実施形態］
第２の実施形態について、上記第１の実施形態との相違点を中心に説明する。第２の実施形態では、手摺４１が手摺固定部４２を複数有している。図４は間仕切壁部１５の構成を示す図であり、（ａ）に間仕切壁部１５の正面図を示し、（ｂ）に手摺４１の斜視図を示している。図５は図４（ａ）のＣ−Ｃ線断面図、図６は図４（ａ）のＤ−Ｄ線断面図である。なお、図４（ａ）においては、トイレ側壁面材２１及び壁仕上部２４の図示を省略しており、間仕切壁部１５の内部構造を示している。
【００６１】
図４（ｂ）に示すように、手摺４１は、手摺掴み部４３に加えて、手摺掴み部４３の上方に設けられた上側掴み部７１と、壁幅方向に延びている棚板７２とを有している。また、手摺４１は、手摺固定部４２に加えて、上側掴み部７１を間仕切壁部１５に固定する上側固定部７３と、棚板７２を間仕切壁部１５に固定する棚固定部７４とを有している。
【００６２】
棚固定部７４は、手摺固定部４２に横並びに配置されており、棚板７２は、これら手摺固定部４２と棚固定部７４とに掛け渡された状態で設けられている。手摺固定部４２及び棚固定部７４は、棚板７２の下側に配置され、この棚板７２を下方から支持している。上側固定部７３は、棚板７２の上方に配置されており、上側掴み部７１は、上側掴み部７１と棚板７２とに掛け渡された状態で壁高さ方向に延びている。上側掴み部７１においては、その上端部が上側固定部７３により支持されており、その下端部が棚板７２を介して手摺固定部４２及び棚固定部７４により支持されている。
【００６３】
手摺４１においては、第１の実施形態とは異なり、手摺掴み部４３を軸支する回動軸部４４の軸線が壁高さ方向に沿って延びており、手摺掴み部４３は、その回動先端側が水平方向に移動する向きで回動する。このため、手摺掴み部４３は、使用位置ＰＡから退避位置ＰＢに移動した場合に、回動軸部４４から上方ではなく間仕切壁部１５の幅方向に沿って側方に延びた状態になっている。ここで、手摺掴み部４３は、棚板７２よりも低い位置に配置されており、退避位置ＰＢにある場合に、棚板７２の下側スペースに収納された状態になっている。
【００６４】
図４（ａ）、図５に示すように、中間下地部５２は、縦材５５を３つではなく２つ有している。ここで、手摺固定部４２の幅寸法は、上記第１の実施形態での幅寸法よりも小さくされており、それに伴って、縦材５５の数を減少させることで中間下地部５２の幅寸法が小さくされている。このように、中間下地部５２が複数の縦材５５を有している構成では、縦材５５の数を増減させるという容易な作業により中間下地部５２の幅寸法を調整することができる。
【００６５】
なお、手摺固定部４２は、２つの縦材５５のそれぞれに打ち込まれた複数の固定具６１により中間下地部５２及びトイレ側下地部５３の両方に固定されている。
【００６６】
図４（ａ）に示すように、手摺下地５１は、縦長形状の中間下地部５２に加えて、横長形状の中間下地部８１，８２を有している。中間下地部８１，８２は、それぞれ中間下地部５２から離間した位置に配置されており、壁厚み方向においてトイレ側下地部５３に重なる位置に配置されている。中間下地部８１には、手摺４１の上側固定部７３が固定されており、以下、中間下地部８１を上側下地部８１と称する。一方、中間下地部８２には、棚固定部７４が固定されており、以下、中間下地部８２を棚下地部８２と称する。上側下地部８１及び棚下地部８２は、中間下地部５２とは異なり、いずれも壁幅方向に沿って左右に延びた横長形状とされている。
【００６７】
上側下地部８１は、支持スタッド３３と補助スタッド３４との間において、中間下地部５２の上方に配置されており、支持スタッド３３と補助スタッド３４とに掛け渡された状態になっている。上側下地部８１は、各端面のうち一方の端面が補助スタッド３４の側面に重ねられ、他方の端面が支持スタッド３３の側面に重ねられた状態で、それら支持スタッド３３及び補助スタッド３４のそれぞれに固定されている。
【００６８】
上側下地部８１は、連結部材８３ａ，８３ｂを介して支持スタッド３３及び補助スタッド３４のそれぞれに連結されている。連結部材８３ａ，８３ｂはいずれも支持スタッド３３と補助スタッド３４との間に配置されており、ビス等により支持スタッド３３に固定された連結部材８３ａと、ビス等により補助スタッド３４に固定された連結部材８３ｂとは互いに離間している。上側下地部８１は、連結部材８３ａ，８３ｂに掛け渡された状態でそれら連結部材８３ａ，８３ｂのそれぞれにビス等により固定されている。上側下地部８１は、連結部材８３ａ，８３ｂの上に載せられている。
【００６９】
上側下地部８１は、壁高さ方向において上側ランナ３１と中間下地部５２との間において、上側ランナ３１から下方に離間し、且つ中間下地部５２から上方に離間した位置に配置されている。
【００７０】
図４（ａ）、図６に示すように、棚下地部８２は、隣り合う支持スタッド３３の間に設けられている。これら支持スタッド３３の一方は、補助スタッド３４を挟んで中間下地部５２の反対側に配置された支持スタッド３３であり、その支持スタッド３３を挟んで補助スタッド３４とは反対側に配置された支持スタッド３３が他方になっている。棚下地部８２は、中間下地部５２の側方に配置されており、各端面がそれぞれ支持スタッド３３の側面に重ねられた状態で、それら支持スタッド３３のそれぞれに固定されている。
【００７１】
棚下地部８２は、上側下地部８１と同様に、連結部材８４ａ，８４ｂを介して隣り合う支持スタッド３３のそれぞれに連結されている。連結部材８４ａ，８４ｂは、いずれも隣り合う支持スタッド３３の間に配置されており、壁幅方向において互いに離間している。棚下地部８２は、連結部材８４ａ，８４ｂに掛け渡された状態でそれら連結部材８４ａ，８４ｂのそれぞれにビス等により固定されている。棚下地部８２は、連結部材８４ａ，８４ｂの上に載せられている。
【００７２】
上側下地部８１及び棚下地部８２は、壁幅方向に延びている横材８５を有している。横材８５は、木材などにより形成された縦断面矩形状の長尺部材である。横材８５は、その端面がスタッド３３，３４の側面に重ねられた状態でそのスタッド３３，３４に対して固定されている。壁厚み方向において、横材８５の厚み寸法はスタッド３３，３４の厚み寸法（トイレ側下地部５３と廊下側壁面材２２との離間距離）とほぼ同じ大きさになっている。
【００７３】
上側下地部８１が有している横材８５が１個であるのに対して、棚下地部８２が有している横材８５は複数（例えば２個）にされている。棚下地部８２において、各横材８５は同じ大きさ及び形状とされており、上下に重ねられた状態で、ビス等により固定されている。手摺４１の棚固定部７４は、２つの横材８５のそれぞれに打ち込まれた複数の固定具６１により棚下地部８２及びトイレ側下地部５３の両方に固定されている。
【００７４】
以上詳述した本実施形態によれば、以下の優れた効果が得られる。
【００７５】
上側下地部８１が補助スタッド３４と支持スタッド３３とに掛け渡されているため、手摺４１の上側固定部７３の設置位置について壁幅方向に関する自由度を高めることができる。同様に、棚下地部８２が隣り合う支持スタッド３３に掛け渡されているため、棚固定部７４の設置位置について壁幅方向に関する自由度を高めることができる。しかも、上側下地部８１及び棚下地部８２はいずれも横材８５を含んで構成されているため、横材８５の数を増減させるという容易な作業によりそれぞれの高さ寸法を変更することができる。
【００７６】
［他の実施形態］
本発明は上記各実施形態の記載内容に限定されず、例えば次のように実施されてもよい。
【００７７】
（１）上記各実施形態では、中間下地部５２が上側ランナ３１から下方に離間した位置に配置されていたが、中間下地部５２は、上側ランナ３１に固定されていてもよい。例えば、図７に示すように、中間下地部５２が上側ランナ３１と下側ランナ３２とに掛け渡された状態で設けられた構成とする。この構成では、中間下地部５２の上端部が上側ランナ３１の溝部内に入り込んだ状態でその上側ランナ３１に固定されている。この場合、手摺４１に加えられた外力が中間下地部５２を介して上側ランナ３１及び下側ランナ３２の両方に分散するため、中間下地部５２が壁幅方向や壁厚み方向に移動することに対する抑止力を、補助スタッド３４及び下側ランナ３２に加えて上側ランナ３１にも発揮させることができる。
【００７８】
なお、中間下地部５２が上側ランナ３１に固定されている構成では、その中間下地部５２が下側ランナ３２から上方に離間していてもよい。
【００７９】
また、中間下地部５２においては、縦材５５が横並びに複数配置されていなくてもよい。つまり、中間下地部５２が有する縦材５５が１つだけでもよい。この場合でも、壁幅方向において縦材５５の幅寸法が、横並びに配置された複数の固定具６１の離間距離よりも大きくされていることで、各固定具６１のそれぞれを縦材５５に打ち込むことができる。これにより、複数の固定具６１により手摺固定部４２を中間下地部５２に適正な状態で固定することができる。
【００８０】
（２）上記各実施形態では、中間下地部５２が２つ以上の部材（第１の実施形態では補助スタッド３４及びランナ３１，３２という３つの部材、第２の実施形態では隣り合うスタッド３３，３４という２つの部材）に固定されていたが、中間下地部５２は、１つのスタッド３３，３４だけに固定されていればよい。例えば、中間下地部５２が、補助スタッド３４だけに固定されていることで、壁幅方向において補助スタッド３４により片持ち支持された状態になっていてもよい。
【００８１】
（３）上記各実施形態では、壁幅方向において補助スタッド３４が支持スタッド３３から離間した位置に配置されていたが、補助スタッド３４は、支持スタッド３３から離間させずに当接させて設けられていてもよい。この場合、補助スタッド３４が支持スタッド３３の側面に固定されていることで、補助スタッド３４の強度を高めることができる。
【００８２】
（４）上記各実施形態では、手摺下地５１に打ち込まれた固定具６１の先端が中間下地部５２の内部に配置されているが、固定具６１の先端が中間下地部５２を挟んでトイレ側下地部５３とは反対側に露出していてもよい。つまり、固定具６１が中間下地部５２を壁厚み方向に貫通していてもよい。例えば、固定具６１がボルトとされ、中間下地部５２を挟んでトイレ側下地部５３の反対側に配置されたナットがボルトに対して羅着されている構成とする。
【００８３】
（５）上記各実施形態では、手摺固定部４２とトイレ側下地部５３との間にトイレ側壁面材２１及び壁仕上部２４が挟まった状態になっているが、トイレ側壁面材２１や壁仕上部２４は、手摺固定部４２とトイレ側下地部５３との間に挟まった状態になっていなくてもよい。例えば第１の実施形態において、トイレ側壁面材２１及び壁仕上部２４に開口が形成されており、手摺固定部４２がその開口に入り込んだ状態でトイレ側下地部５３に重ね合わされた構成とする。この構成でも、固定具６１が手摺固定部４２を貫通してトイレ側下地部５３及び中間下地部５２に打ち込まれていることで、手摺固定部４２が手摺下地５１に固定されていることになる。
【００８４】
（６）上記各実施形態では、トイレ側下地部５３に重ねられた内装材において、トイレ側壁面材２１に壁仕上部２４が取り付けられていたが、トイレ側壁面材２１が設けられずに、壁仕上部２４がトイレ側下地部５３に直接取り付けられていてもよい。
【００８５】
（７）手摺４１は、トイレ１１以外の他の居住空間に設置されていてもよい。例えば、手摺４１が廊下１２に設置された構成とする。この構成では、内装側下地部が壁下地２３と廊下側壁面材２２との間に廊下側下地部として設けられ、手摺固定部４２を固定する固定具６１が、廊下側壁面材２２及び廊下側下地部を貫通して中間下地部５２に打ち込まれている。これにより、手摺固定部４２が廊下側下地部及び中間下地部５２に対して固定されている。
【００８６】
（８）上記各実施形態では、手摺４１において手摺掴み部４３が回動するが、手摺掴み部４３は、上下左右にスライド移動する構成としてもよい。また、手摺掴み部４３が使用位置ＰＡから移動しない構成としてもよい。
【００８７】
さらに、手摺掴み部４３が、使用位置ＰＡにある場合に間仕切壁部１５に沿って上下左右に延びており、手摺固定部４２が所定間隔で複数配置された構成としてもよい。例えば、手摺４１が廊下１２に配置され、手摺掴み部４３が廊下１２の通行方向に沿って延びた状態で、複数の手摺固定部４２により手摺下地５１に対して固定された構成とする。
【００８８】
（９）手摺４１は、間仕切壁部１５ではなく、外壁部に取り付けられていてもよい。つまり、手摺４１は、壁部に取り付けられることで屋内空間に設置されていればよい。
【符号の説明】
【００８９】
１５…壁部としての間仕切壁部、２１…内装材を構成する壁面材としてのトイレ側壁面材、２３…壁下地、２４…内装材を構成する壁下地部、３１…上側ランナ、３２…下側ランナ、３３…スタッドとしての支持スタッド、３４…スタッドとしての補助スタッド、４１…手摺、５１…手摺下地、５２…中間下地部、５３…内装側下地部としてのトイレ側下地部、５５…縦材、６１…固定具、８１…中間下地部としての上側下地部、８２…中間下地部としての下側下地部。
【図１】
2015094092.tif 000003
【図２】
2015094092.tif 000004
【図３】
2015094092.tif 000005
【図４】
2015094092.tif 000006
【図５】
2015094092.tif 000007
【図６】
2015094092.tif 000008
【図７】
2015094092.tif 000009